(57)【特許請求の範囲】
【請求項１】
外枠の内側に内枠を重ねて側板が形成され、外枠の内側で内枠の下端部に底板が固定される組立て用紙箱において、外枠と内枠は、平面Ｌ字形状に屈曲された一対の外枠体と一対の内枠体をそれぞれ連結して構成されるもので、
外枠体は、横長の帯状板紙を長手方向に沿って二つに折って外側壁と内側壁とが重合され、外側壁の下端部を内側壁側に延長して内側壁に重合する重合片を形成し、該重合片の上端部から水平に屈曲延長され前記外枠体の内側に突出する屈曲支持片を形成し、
内枠体は、横長の帯状板紙を長手方向に沿って二つに折って外側壁と内側壁とが重合され、外側壁又は内側壁の下端部から前記内枠体の内側に向けて水平に屈曲延長して屈曲当接片を形成し、
外枠体と内枠体との各長手両端部に差込片と挿入口とが併設され、隣接する枠体の差込片と挿入口とを互いに差し込み直角に屈曲することでそれぞれ外枠と内枠とが構成され、内枠を外枠の内部に嵌合し、屈曲支持片と屈曲当接片との間に底板を挟んで底板を固定することを特徴とする組立て用紙箱。
【請求項２】
前記外枠体は、前記内側壁に係止用切欠が形成され、該係止用切欠内に挿入係止せしめる係止突起を前記内枠体の前記屈曲当接片から延長形成された請求項１記載の組立て用紙箱。
【請求項３】
前記係止用切欠内に挿入係止せしめる係止突起を前記底板の周囲縁の一部に突設した請求項１又は２記載の組立て用紙箱。
【請求項４】
前記外枠体と前記内枠体は、それぞれ前記外側壁と前記内側壁との長手両端部に前記挿入口が形成され、一方の挿入口の前記外側壁に導入片を形成し、該導入片を前記外側壁と前記内側壁との間に折り込み前記挿入口を補強するように構成した請求項１記載の組立て用紙箱。
【請求項５】
外枠の内側に内枠を重ねて側板が形成され、外枠の内側で内枠の下端部に底板が固定される組立て用紙箱において、外枠と内枠は、平面Ｌ字形状に屈曲された一対の外枠体と一対の内枠体をそれぞれ連結して構成されるもので、
外枠体は、横長の帯状板紙を長手方向に沿って二つに折って外側壁と内側壁とが重合され、外側壁の下端部を内側壁側に延長して内側壁に重合する重合片を形成し、該重合片の上端部から水平に屈曲延長され外枠体の内側に突出する屈曲支持片を形成し、内側壁に係止用切欠が形成され、
内枠体は、横長の帯状板紙を長手方向に沿って二つに折って外側壁と内側壁とが重合され、外側壁又は内側壁の下端部から前記内枠体の内側に向けて水平に屈曲延長して屈曲当接片を形成し、該屈曲当接片から外枠体の係止用切欠内に挿入係止せしめる係止突起が延長形成され、
外枠体と内枠体との各長手両端部に差込片と挿入口とが併設され、隣接する枠体の差込片と挿入口とを互いに差し込み直角に屈曲することでそれぞれ外枠と内枠とが構成され、内枠を外枠の内部に嵌合し、内枠体の係止突起を外枠体の係止用切欠内に挿入して外枠体と内枠体とを固定し、内枠体の屈曲当接片の上に底板を載置することを特徴とする組立て用紙箱。
【発明の詳細な説明】
【技術分野】
【０００１】
本発明は、側板と底板とを組み立てて紙箱を形成する組立て用紙箱に係り、重箱等の高級な容器として使用することが可能な組立て用紙箱に関するものである。
【背景技術】
【０００２】
当出願人は、先に特許文献１に記載の紙製重箱を提案している。この紙製重箱は、既成の紙箱を内箱とし、該内箱の外周に、平面Ｌ字形状に屈曲された一対の枠体を連結する外枠を組み合せるものである。この外枠を既成の内箱と組み合せることにより、高級貼箱等の紙箱を、重箱のように積み重ねて使用することが可能になった。
【０００３】
特許文献１の紙製重箱は、既に形成された組立箱や高級貼箱等の箱を内箱として使用し、この内箱に外枠を組み合せて構成するものなので、内箱は高い強度のものを選択できるが、この内箱を組み立て式にする場合、側板に底板を組み合せて構成する内箱の強度を高めることは困難であった。
【０００４】
一方、既成の箱を使用せず、側板に底板を組み合せて構成する紙箱を強化する手段として、例えば特許文献２や特許文献３の紙箱において提案されている。
【０００５】
特許文献２の紙箱は、段ボール紙で構成する紙箱であり、側板の内側面に形成した溝に底板の凸部を差し込んで連結する構造を採用している。そして、側板に使用する枠材を二重、三重に折り畳むことで、紙箱の強度を高めるものである。
【０００６】
特許文献３の紙箱は、印籠式の化粧箱に関するもので、外枠の内側に内枠を重ねた二重の側板を使用する構成である。この化粧箱においても、特許文献２の紙箱と同様に、外枠や内枠を二重に折り畳んだ状態で使用することで、化粧箱の強度を高めるものである。
【先行技術文献】
【特許文献】
【０００７】
【特許文献１】実用新案登録第３１７７３１８号公報
【特許文献２】特開２００２-２８４１３９号公報
【特許文献３】特開２００８-３７４５７号公報
【発明の概要】
【発明が解決しようとする課題】
【０００８】
特許文献１に記載の紙製重箱は、特に完成した状態の組立箱や高級貼箱を内箱として使用するので、内箱の運搬や保存などに多くの収納スペースが必要になる。
【０００９】
一方、特許文献２や特許文献３に記載のような従来の組立て用紙箱には、いずれも共通する課題が残されていた。第１の課題は、底板の支持強度にある。すなわち、特許文献２の底板は、底板の四方に突設した凸部を側板の溝に差し込む構成なので、ダンボール以外の厚紙を使用した場合、紙製の底板が撓むとこの凸部が抜け落ちる虞がある。そのため、底板を側板に固定するには強固な接着剤が必要になり、底板を組み立てて紙箱を完成させるには、この接着剤を使用する手間や、乾燥までの時間を要するものであった。
【００１０】
また、特許文献３に記載の底板は、二重に折り返した外枠の端部に底板の周囲縁を係止する構成を採用している。そのため、底板が外枠に係止している面積は、外枠の紙厚に限定されており、この底板も紙製の底板が撓むと外枠から外れてしまう虞がある。したがって、この特許文献３の底板も、組立てる際に接着剤を使用して強固に接着する必要があった。このように、従来の組立て用紙箱は、底板を組み立てる際に接着剤を使用する手間や、接着剤が乾燥するまでの時間を要するといった共通の課題があった。
【００１１】
共通する第２の課題は、側板を組み立てた後に、この側板の端部を接着剤で接着する構成にある。特許文献２の紙箱は、枠材を二重、三重に折り畳むことで側板を構成しているが、折り畳んだ後、側板の端部を接着する必要がある。また、特許文献３の紙箱に至っては、二重に折り返した外枠や内枠の端部をそれぞれ接着しなければ側板が形成されないものである。このように、従来の組立て用紙箱は、側板を組み立てる際においても接着剤の使用が必要になるといった共通の課題があった。
【００１２】
したがって従来の組立て用紙箱は、側板や底板を組み立てる際に、それぞれ接着剤を使用しながら組み立てる必要があるので、一つの紙箱が完成するまでに多くの手間と時間を要する課題があった。しかも、完成した紙箱の強度は、この接着剤の強度で決定されることになり、従来の紙箱を組立てる際に、接着剤の選択や塗布する技術などは極めて重要な工程になっていた。
【００１３】
そこで本発明は上述の課題を解消し、接着剤を使用せずにパーツを組み合せるだけで簡単に紙箱を組み立てることができ、組立てに要する時間を短縮すると共に、優れた強度を有し、重箱等の高級な容器として使用することが可能な組立て用紙箱の提供を目的とするものである。
【課題を解決するための手段】
【００１４】
上述の目的を達成すべく本発明における第１の手段は、外枠１の内側に内枠２を重ねて側板が形成され、外枠１の内側で内枠２の下端部に底板３が固定される組立て用紙箱において、外枠１と内枠２は、平面Ｌ字形状に屈曲された一対の外枠体１０と一対の内枠体２０をそれぞれ連結して構成されるもので、
外枠体１０は、横長の帯状板紙を長手方向に沿って二つに折って外側壁１０Ａと内側壁１０Ｂとが重合され、外側壁１０Ａの下端部を内側壁１０Ｂ側に延長して内側壁１０Ｂに重合する重合片１０Ｃを形成し、該重合片１０Ｃの上端部から水平に屈曲延長され外枠体１０の内側に突出する屈曲支持片１３を形成し、
内枠体２０は、横長の帯状板紙を長手方向に沿って二つに折って外側壁２０Ａと内側壁２０Ｂとが重合され、外側壁２０Ａ又は内側壁２０Ｂの下端部から内枠体２０の内側に向けて水平に屈曲延長して当接片２３を形成し、
外枠体１０と内枠体２０との各長手両端部に差込片１１、２１と挿入口１２、２２とが併設され、隣接する枠体の差込片１１、２１と挿入口１２、２２とを互いに差し込み直角に屈曲することでそれぞれ外枠１と内枠２とが構成され、
内枠２を外枠１の内部に嵌合し、屈曲支持片１３と屈曲当接片２３との間に底板３を挟んで底板３を固定することにある。
【００１６】
第２の手段の前記外枠体１０は、前記内側壁１０Ｂに係止用切欠１４が形成され、該係止用切欠１４内に挿入係止せしめる係止突起２３Ａを前記内枠体２０の前記屈曲当接片２３から延長形成されたものである。
【００１７】
第３の手段は、前記係止用切欠１４内に挿入係止せしめる係止突起３Ａを前記底板３の周囲縁の一部に突設している。
【００１９】
第４の手段において、前記外枠体１０と前記内枠体２０は、それぞれ前記外側壁１０Ａ、２０Ａと前記内側壁１０Ｂ、２０Ｂとの長手両端部に前記挿入口１２、２２が形成され、一方の挿入口１２、２２の前記外側壁１０Ａ、２０Ａに導入片１５、２５を形成し、該導入片１５、２５を前記外側壁１０Ａ、２０Ａと前記内側壁１０Ｂ、２０Ｂとの間に折り込み前記挿入口１２、２２を補強するように構成したものである。
【００２０】
第５の手段は、外枠１の内側に内枠２を重ねて側板が形成され、外枠１の内側で内枠２の下端部に底板３が固定される組立て用紙箱において、外枠１と内枠２は、平面Ｌ字形状に屈曲された一対の外枠体１０と一対の内枠体２０をそれぞれ連結して構成されるもので、
外枠体１０は、横長の帯状板紙を長手方向に沿って二つに折って外側壁１０Ａと内側壁１０Ｂとが重合され、外側壁１０Ａの下端部を内側壁１０Ｂ側に延長して内側壁１０Ｂに重合する重合片１０Ｃを形成し、該重合片１０Ｃの上端部から水平に屈曲延長され外枠体１０の内側に突出する屈曲支持片１３を形成し、内側壁１０Ｂに係止用切欠１４が形成され、
内枠体２０は、横長の帯状板紙を長手方向に沿って二つに折って外側壁２０Ａと内側壁２０Ｂとが重合され、外側壁２０Ａ又は内側壁２０Ｂの下端部から内枠体２０の内側に向けて水平に屈曲延長して屈曲当接片２３を形成し、該屈曲当接片２３から外枠体１０の係止用切欠１４内に挿入係止せしめる係止突起２３Ａが延長形成され、
外枠体１０と内枠体２０との各長手両端部に差込片１１、２１と挿入口１２、２２とが併設され、隣接する枠体の差込片１１、２１と挿入口１２、２２とを互いに差し込み直角に屈曲することでそれぞれ外枠１と内枠２とが構成され、
内枠２を外枠１の内部に嵌合し、内枠体２０の係止突起２３Ａを外枠体１０の係止用切欠１４内に挿入して前記外枠体１０と前記内枠体２０とを固定し、当接片２３の上に底板３を載置するものである。
【発明の効果】
【００２１】
本発明の請求項１によると、外枠１を構成する外枠体１０から水平に折り下げる屈曲支持片１３と、内枠２を構成する内枠体２０から水平に折り上げる屈曲当接片２３との間に底板３を挟んで底板３を固定することにより、従来のごとく組立て時に接着剤を使用しなくても底板３を強固に組み付けることができる。しかも、外枠１と内枠２は、平面Ｌ字形状に屈曲された一対の外枠体１０と一対の内枠体２０をそれぞれ連結して構成されるものであるから、側板を組み立てる場合も接着剤を使用する必要がない。この結果、接着剤を使用せずにパーツを組み合せるだけで簡単に紙箱を組み立てることができ、本発明紙箱の組立てに要する時間を著しく短縮することができる。
【００２２】
また、外側壁１０Ａの下端部を内側壁１０Ｂ側に延長して内側壁１０Ｂに重合する重合片１０Ｃを形成し、該重合片１０Ｃの上端部から屈曲支持片１３を屈曲延長したものであるから、屈曲支持片１３は上から加わる荷重に対して極めて強固な支持力を備えている。しかも、底板３の下面に屈曲支持片１３が当接することで安定した保持力を発揮し、従来の組立て用紙箱のように底板３が撓んでも落下する虞はなく、優れた強度を有するものである。
更に、内枠体２０の外側壁２０Ａ又は内側壁２０Ｂの下端部を延長して前記内枠体２０の内側に突出する前記当接片２３を形成することで、この屈曲当接片２３により底板３の周囲上面を確実に押さえ付けることができるものである。
【００２３】
請求項２のように、外枠体１０の内側壁１０Ｂに係止用切欠１４が形成され、該係止用切欠１４内に挿入係止せしめる係止突起２３Ａを内枠体２０の屈曲当接片２３から延長形成したことで、外枠体１０と内枠体２０との固定力を高めることができる。
【００２４】
請求項３のように、係止用切欠１４内に挿入係止せしめる係止突起３Ａを底板３の周囲縁の一部に突設することで、底板３の固定力を更に高めることが可能になる。
【００２６】
請求項４のように、前記外枠体１０と前記内枠体２０は、それぞれ導入片１５、２５を形成し、該導入片１５、２５で挿入口１２、２２を補強するように構成したことで、平面Ｌ字形状に屈曲された一対の外枠体１０と一対の内枠体２０をそれぞれ連結して構成される外枠１と内枠２との連結強度を高めることができる。この結果、優れた強度を有し、重箱等の高級な容器として使用することが可能である。
【００２７】
請求項５によると、当接片２３の上に底板３を載置した前記内枠体２０を前記外枠体１０の内部に嵌合し、前記内枠体２０の前記係止突起２３Ａを前記係止用切欠１４内に挿入して前記外枠体１０と前記内枠体２０とを固定することにより、従来のごとく組立て時に接着剤を使用しなくても底板３を強固に組み付けることができる。しかも、外枠１と内枠２は、平面Ｌ字形状に屈曲された一対の外枠体１０と一対の内枠体２０をそれぞれ連結して構成されるものであるから、側板を組み立てる場合も接着剤を使用する必要がない。この結果、接着剤を使用せずにパーツを組み合せるだけで簡単に紙箱を組み立てることができ、本発明紙箱の組立てに要する時間を著しく短縮することができる。
【図面の簡単な説明】
【００２８】
【図１】本発明の一実施例を示す分解斜視図である。
【図２】本発明の一実施例を示す斜視図である。
【図３】本発明の一実施例を示す側断面図である。
【図４】本発明の外枠体の一実施例を示す展開図である。
【図５】本発明の外枠体を組合せる状態を示す分解斜視図である。
【図６】本発明の外枠体を組合せた状態を示す要部断面図である。
【図７】本発明の内枠体の一実施例を示す展開図である。
【図８】本発明の内枠体を組合せる状態を示す分解斜視図である。
【図９】本発明の使用状態を示す斜視図である。
【図１０】本発明の他の使用状態を示す斜視図である。
【図１１】本発明の他の実施例を示す分解斜視図である。
【図１２】本発明の他の実施例を示す要部断面図である。
【発明を実施するための形態】
【００２９】
本発明によると、接着剤を使用せずにパーツを組み合せるだけで簡単に紙箱を組み立てることができ、組立てに要する時間を短縮すると共に、優れた強度を有するなどといった当初の目的を達成した。
【００３０】
以下、本発明の実施例を説明する。本発明の基本構成は、外枠１と内枠２とで構成する側板に、底板３を組み合わせる印籠形状の組立て用紙箱である（図２参照）。
【００３１】
外枠１と内枠２は、平面Ｌ字形状に屈曲された一対の外枠体１０と一対の内枠体２０をそれぞれ連結して構成される（図５、図８参照）。すなわち、外枠体１０と内枠体２０との各長手両端部に差込片１１、２１と挿入口１２、２２とが併設されている。
【００３２】
そして、隣接する枠体の差込片１１、２１と挿入口１２、２２とを互いに差し込み直角に屈曲することでそれぞれ外枠１と内枠２とが構成される（図１参照）。すなわち、本発明の側板は、略帯状の外枠体１０や内枠体２０を組み合わせるだけで形成されるものである。具体的には、各枠体の隣接する差込片１１、２１と挿入口１２、２２とを互いに差し込み直角に屈曲すると、それぞれ各枠体が連結され、外枠体１０と内枠体２０が形成される（図５、図８参照）。
【００３３】
外枠１を構成する外枠体１０は、この外枠体１０の内側面に、水平に折り下げる屈曲支持片１３が設けられている（図３参照）。
【００３４】
図４は、外枠１を構成する外枠体１０の展開図である。この外枠体１０は、横長の帯状板紙を長手方向に沿って二つに折って外側壁１０Ａと内側壁１０Ｂとを形成する。図示例では内側壁１０Ｂの間に切り込み１６を設けて左右一対の内側壁１０Ｂを形成している。更に、この内側壁１０Ｂの下端部に屈曲縁ａを介して左右一対の外側壁１０Ａを延長形成する。左右の外側壁１０Ａは連続した状態である。したがって屈曲縁ａを介して内側壁１０Ｂを内側に折り込むと、外枠体１０と内側壁１０Ｂとが重なり、外枠体１０の左右両端部に挿入口１２が形成される（図５参照）。
【００３５】
そして、図４において、外側壁１０Ａの一方の長手端部に差込片１１を突設し、他方の端部に導入片１５を形成している。この導入片１５は、外側壁１０Ａと内側壁１０Ｂとの間に折り込むことで、挿入口１２を補強するものである（図６参照）。更に、内側壁１０Ｂの片側の長手一端部に差込片１１を設けている（図４参照）。この内側壁１０Ｂの差込片１１は、外側壁１０Ａの差込片１１と対極の位置に形成されている。
【００３６】
更に、外側壁１０Ａの下端部に屈曲縁ｂを介して重合片１０Ｃを形成し、この重合片１０Ｃの下端部に折返し部ｃを介して屈曲支持片１３を形成している。重合片１０Ｃを内側壁１０Ｂに接着することで、外側壁１０Ａと内側壁１０Ｂとを略筒状に形成する（図６参照）。また、屈曲支持片１３は、折返し部ｃから外枠体１０の内側に折り返すことで、底板３の底部を支持する部材になるものである（図３参照）。この屈曲支持片１３は、外枠体１０の内側に突出するもので、この屈曲支持片１３上に底板３を載置する。図示例では、底板３の各周囲縁の中央に係止突起３Ａを突設し、この係止突起３Ａを係止せしめる係止用切欠１４を内側壁１０Ｂに形成している（図１参照）。
【００３７】
内枠体２０は、外枠体１０と同様に、横長の帯状板紙を長手方向に沿って二つに折って外側壁２０Ａと内側壁２０Ｂとを形成している（図７、図８参照）。外枠体１０と異なる構成は、屈曲支持片１３に代わる屈曲当接片２３の構成であり、差込片２１や挿入口２２の構成は、外枠体１０の差込片１１や挿入口１２と同じ構成である。図示の屈曲当接片２３は、内枠体２０の下端部から内側に向けて水平に折り上げるもので、この屈曲当接片２３と外枠体１０の屈曲支持片１３との間に底板３を挟んで底板３を固定する（図３参照）。更に図示例では、内枠体２０の屈曲当接片２３から係止突起２３Ａを形成している。この係止突起２３Ａは、外枠体１０の内側壁１０Ｂに係止用切欠１４を形成し、この係止用切欠１４内に挿入係止する部位である。
【００３８】
図７は、内枠２を構成する内枠体２０の展開図である。この内枠体２０は、横長の帯状板紙の上部から順に屈曲当接片２３、内側壁２０Ｂ、外側壁２０Ａ、補強片２４を形成している。そして、外側壁２０Ａの一方の長手端部に差込片２１を突設し、他方の端部に導入片２５を形成している。この導入片２５は、外側壁２０Ａと側壁２０Ｂとの間に折り込むことで、挿入口２２を補強するものである（図３参照）。更に、内側壁２０Ｂの長手一端部に差込片２１を設けている。この内側壁２０Ｂの差込片２１は、外側壁２０Ａの差込片２１と対極の位置に形成されている。
【００３９】
図７に示す屈曲当接片２３は、内側壁２０Ｂから屈曲延長しているが、外側壁２０Ａから屈曲当接片２３を形成することも可能である。この場合、補強片２４を内側壁２０Ｂから延長する。図示例では、外側壁２０Ａから補強片２４を延長している。この補強片２４を外側壁２０Ａと内側壁２０Ｂとの間に接着することで、外側壁１０Ａと内側壁１０Ｂとを略筒状に形成し、内枠体２０の強度を高めるものである（図３参照）。そして、折返し部ｃから屈曲当接片２３を内側に折り上げるように構成している（図１参照）。
【００４０】
底板３は、図３に示すように、屈曲当接片２３と外枠体１０の屈曲支持片１３との間に底板３を挟む他、図１１に示すように、前記外枠体１０の前記当接片２３の上に底板３を載置することも可能である。図示例の底板３は、周囲縁に係止突起３Ａを設けている。この係止突起３Ａは、係止用切欠１４内に挿入係止せしめるものであるが、底板３が厚い場合など、底板３に係止突起３Ａを設けなくても良い場合もある。
【００４１】
図９は、本発明紙箱を複数段積重ねて重箱とし、蓋体４を被せた使用例を示している。また、図１０は、本発明紙箱の内部に内容器５を収納し、高級な弁当箱として使用する例を示している。尚、本発明は図示例に限られるものではなく、本発明の用途も任意に変更することがでる。更に、本発明の外枠体１０や内枠体２０の各構成において、各構成部材の寸法、材質等は任意に変更することが可能である。
【００４２】
図１０及び図１１は、本発明の他の実施例を示している。この実施例では、底板３を外枠体１０の当接片２３の上に載置したものである。すなわち、内側壁１０Ｂに形成された係止用切欠１４内に挿入係止せしめる係止突起２３Ａを、内枠体２０の屈曲当接片２３から延長形成したものである。そして、内枠体２０を外枠体１０の内部に嵌合し、内枠体２０の係止突起２３Ａを係止用切欠１４内に挿入して外枠体１０と内枠体２０とを固定するものである。そして、底板３を外枠体１０の当接片２３の上に載置する。図示例では、底板３の周囲縁の一部に係止突起３Ａを突設し、この係止突起３Ａと内枠体２０の係止突起２３Ａとを重ねた状態で係止用切欠１４内に挿入している。また、係止突起３Ａを形成しない底板３を当接片２３の上に載置しても良い。
【符号の説明】
【００４３】
１  外枠
２  内枠
３  底板
３Ａ  係止突起
４  蓋体
５  内容器
１０  外枠体
１０Ａ  外側壁
１０Ｂ  内側壁
１０Ｃ  重合片
１１  差込片
１２  挿入口
１３  屈曲支持片
１４  係止用切欠
２０  内枠体
２１  差込片
２２  挿入口
２３  屈曲当接片
２３Ａ  係止突起
２４  補強片
２５  導入片
ａ  屈曲縁
ｂ  屈曲縁
ｃ  折返し部
【図１】
0005567111.tif 000002
【図２】
0005567111.tif 000003
【図３】
0005567111.tif 000004
【図４】
0005567111.tif 000005
【図５】
0005567111.tif 000006
【図６】
0005567111.tif 000007
【図７】
0005567111.tif 000008
【図８】
0005567111.tif 000009
【図９】
0005567111.tif 000010
【図１０】
0005567111.tif 000011
【図１１】
0005567111.tif 000012
【図１２】
0005567111.tif 000013